(57)【要約】【課題】食卓を狭くしない、食卓景観を損ねない土鍋セットを提供することを目的としている。【解決手段】  蓋４は、内側が湾曲形態に凹んだ蓋本体１２と、この蓋本体１２を立てた状態に支持し且つ取っ手を兼ねる蓋本体１２と同部材で一体的に形成されてなる蓋立て支持部１３と、蓋本体１２を立てた状態において蓋本体１２の内側下部に位置する部位に設けられた杓子５の掬い部１４を止め受けるための、露溜めを兼ねた凹み形態の杓子止め受け部１６とからなっている。杓子の露や蓋に付いた露は杓子止め受け部１６（露溜め部）に溜まり、食卓などを汚さないようになっている。【選択図】図５
0003120891.tif 000002
【実用新案登録請求の範囲】
【請求項１】
土鍋と、
内側が湾曲形態に凹んだ蓋本体および、
この蓋本体を立てた状態で支持し且つ蓋取っ手を兼ねる、蓋本体と同部材で一体に形成されてなる蓋立て支持部および、
該蓋本体を立てた状態に置いて、蓋本体の内側下部に設けられた、滴り落ちるしずくと杓子の掬い部とを止め受ける杓子止め受け部
とからなる土鍋蓋と、
取っ手および掬い部からなる杓子本体および、
該取っ手の裏側に突出して設けられた、前記杓子止め受け部に掬い部を載せ止めた状態で前記蓋本体の縁に係わり合って、立ち状態の杓子本体を支持する杓子支持部とからなる杓子と、
以上のごとく構成されてなることを特徴とする土鍋セット。
【請求項２】
土鍋本体の開口部外側の全周にわたって、均一の形態で外側に突き出し広がって円弧状外縁を形成してなる指掛け外縁部および、
この指掛け外縁部の縁下に全周に渡って凸状に形成された指掛け突起部および、
該指掛け外縁部よりも低い位置に全周にわたって形成された内蓋載せ部、
とからなる土鍋と、
前記内蓋載せ部に載せ置く平板形態あるいは浅い湾曲形態の内蓋本体および、
この内蓋本体の上部に設けられた、指を掛けて内蓋本体を持ち上げ、且つ内蓋本体を皿や蓋置きとして安定させる高台、
とからなる内蓋と、
この内蓋の上に載せる内側が湾曲形態に凹んだ蓋本体および、
この蓋本体を立てた状態に支持し且つ取っ手を兼ねる蓋本体と同部材で一体的に形成されてなる蓋立て支持部、
とからなる土鍋蓋と、
以上のごとく構成されてなることを特徴とする土鍋セット。
【請求項３】
土鍋本体の開口部外側の全周にわたって、均一の形態で外側に突き出し広がって円弧状外縁を形成してなる指掛け外縁部および、
この指掛け外縁部の縁下に全周に渡って凸状に形成された指掛け突起部および、
該指掛け外縁部よりも低い位置に全周にわたって形成された内蓋載せ部、
とからなる土鍋と、
前記内蓋載せ部に載せ置く平板形態あるいは浅い湾曲形態の内蓋本体および、
この内蓋本体の上部に設けられた、指を掛けて内蓋本体を持ち上げ、且つ内蓋本体を皿や蓋置きとして安定させる高台、
とからなる内蓋と、
内側が湾曲形態に凹んだ蓋本体および、
この蓋本体を立てた状態で支持し且つ蓋取っ手を兼ねる、蓋本体と同部材で一体に形成されてなる蓋立て支持部および、
該蓋本体を立てた状態に置いて、蓋本体の内側下部に設けられた、滴り落ちるしずくと杓子の掬い部とを止め受ける杓子止め受け部
とからなる土鍋蓋と、
取っ手および掬い部からなる杓子本体および、
該取っ手の裏側に突出して設けられた、前記杓子止め受け部に掬い部を載せ止めた状態で前記蓋本体の縁に係わり合って、立ち状態の杓子本体を支持する杓子支持部とからなる杓子と、
以上のごとく構成されてなることを特徴とする土鍋セット。
【考案の詳細な説明】
【技術分野】
【０００１】
本考案は、土鍋セットに関する。
【背景技術】
【０００２】
従来、土鍋と、指で摘まむ摘み部を頂部に設けた内蓋と、蓋とから構成されてなる、御飯を炊くのに優れた土鍋セットが知られている。
また、特開２０００−１１６５２３に鍋蓋を立て置く機能を有する、蓋本体とは別体の取っ手を設けた鍋蓋が開示されている。
【特許文献１】特開２０００−１１６５２３
【非特許文献１】特になし
【考案の開示】
【考案が解決しようとする課題】
【０００３】
御飯を炊く内蓋を有する土鍋セットは、内蓋の摘みが小さいものであり、鍋から取り除いたらテーブルに仰向かせ状態で置くだけしかなくテーブルを狭くする、しずくを垂らす、雑然として食卓景観を損ねるなどの欠点を有するものであったし、蓋も鍋から取り除いたら仰向かせ状態に置かなければならず、テーブルを狭くする、雑然として食卓景観を損ねるなどの欠点を有するものであったし、使用した杓子は仰向かせ置いた蓋に置くのであるが、これも雑然として食卓景観を損ねるという欠点を有するものであった。
特許文献１の鍋蓋は、使用したレンゲなどの杓子を置く場合には、鍋蓋を仰向かせ置かなければならず、このような場合はテーブルを狭くする、しずくや汁をテーブルに垂らす、雑然として食卓の景観を損ねるという欠点を有するものであった。
【０００４】
本考案は以上のような従来技術の欠点に鑑み、食卓を狭くしない、食卓景観を損ねない土鍋セットを提供することを目的としている。
【課題を解決するための手段】
【０００５】
上記目的を達成するために本考案は次のような構成となっている。
＜請求項１記載の考案＞
土鍋と、
内側が湾曲形態に凹んだ蓋本体および、
この蓋本体を立てた状態で支持し且つ蓋取っ手を兼ねる、蓋本体と同部材で一体に形成されてなる蓋立て支持部および、
該蓋本体を立てた状態に置いて、蓋本体の内側下部に設けられた、滴り落ちるしずくと杓子の掬い部とを止め受ける杓子止め受け部
とからなる土鍋蓋と、
取っ手および掬い部からなる杓子本体および、
該取っ手の裏側に突出して設けられた、前記杓子止め受け部に掬い部を載せ止めた状態で前記蓋本体の縁に係わり合って、立ち状態の杓子本体を支持する杓子支持部とからなる杓子とで土鍋セットを構成している。
＜請求項２記載の考案＞
土鍋本体の開口部外側の全周にわたって、均一の形態で外側に突き出し広がって円弧状外縁を形成してなる指掛け外縁部および、
この指掛け外縁部の縁下に全周に渡って凸状に形成された指掛け突起部および、
該指掛け外縁部よりも低い位置に全周にわたって形成された内蓋載せ部、
とからなる土鍋と、
前記内蓋載せ部に載せ置く平板形態あるいは浅い湾曲形態の内蓋本体および、
この内蓋本体の上部に設けられた、指を掛けて内蓋本体を持ち上げ、且つ内蓋本体を皿や蓋置きとして安定させる高台、
とからなる内蓋と、
この内蓋の上に載せる内側が湾曲形態に凹んだ蓋本体および、
この蓋本体を立てた状態に支持し且つ取っ手を兼ねる蓋本体と同部材で一体的に形成されてなる蓋立て支持部、
とからなる土鍋蓋とで土鍋セットを構成している。
＜請求項３記載の考案＞
土鍋本体の開口部外側の全周にわたって、均一の形態で外側に突き出し広がって円弧状外縁を形成してなる指掛け外縁部および、
この指掛け外縁部の縁下に全周に渡って凸状に形成された指掛け突起部および、
該指掛け外縁部よりも低い位置に全周にわたって形成された内蓋載せ部、
とからなる土鍋と、
前記内蓋載せ部に載せ置く平板形態あるいは浅い湾曲形態の内蓋本体および、
この内蓋本体の上部に設けられた、指を掛けて内蓋本体を持ち上げ、且つ内蓋本体を皿や蓋置きとして安定させる高台、
とからなる内蓋と、
内側が湾曲形態に凹んだ蓋本体および、
この蓋本体を立てた状態で支持し且つ蓋取っ手を兼ねる、蓋本体と同部材で一体に形成されてなる蓋立て支持部および、
該蓋本体を立てた状態に置いて、蓋本体の内側下部に設けられた、滴り落ちるしずくと杓子の掬い部とを止め受ける杓子止め受け部
とからなる土鍋蓋と、
取っ手および掬い部からなる杓子本体および、
該取っ手の裏側に突出して設けられた、前記杓子止め受け部に掬い部を載せ止めた状態で前記蓋本体の縁に係わり合って、立ち状態の杓子本体を支持する杓子支持部とからなる杓子とで土鍋セットを構成している。
【考案の効果】
【０００６】
以上の説明から明らかなように、本考案にあっては次に列挙する効果が得られる。
＜請求項１記載の考案効果＞
土鍋と、内側が湾曲形態に凹んだ蓋本体および、この蓋本体を立てた状態で支持し且つ蓋取っ手を兼ねる、蓋本体と同部材で一体に形成されてなる蓋立て支持部および、該蓋本体を立てた状態に置いて、蓋本体の内側下部に設けられた、滴り落ちるしずくと杓子の掬い部とを止め受ける杓子止め受け部とからなる土鍋蓋と、取っ手および掬い部からなる杓子本体および、該取っ手の裏側に突出して設けられた、前記杓子止め受け部に掬い部を載せ止めた状態で前記蓋本体の縁に係わり合って、立ち状態の杓子本体を支持する杓子支持部とからなる杓子とで土鍋セットを構成しているので、
立て状態の土鍋蓋に杓子を立て置き状態で保持できるので、テーブルを狭くすること無く、しずくや汁でテーブルを汚すことなく、且つ煩雑な感じを与えず食卓の景観を損なわない整った景観を演出するという効果を得ることができる。
＜請求項２記載の考案の効果＞
土鍋本体の開口部外側の全周にわたって、均一の形態で外側に突き出し広がって円弧状外縁を形成してなる指掛け外縁部および、この指掛け外縁部の縁下に全周に渡って凸状に形成された指掛け突起部および、該指掛け外縁部よりも低い位置に全周にわたって形成された内蓋載せ部、
とからなる土鍋と、前記内蓋載せ部に載せ置く平板形態あるいは浅い湾曲形態の内蓋本体および、この内蓋本体の上部に設けられた、指を掛けて内蓋本体を持ち上げ、且つ内蓋本体を皿や蓋置きとして安定させる高台、とからなる内蓋と、この内蓋の上に載せる内側が湾曲形態に凹んだ蓋本体および、この蓋本体を立てた状態に支持し且つ取っ手を兼ねる蓋本体と同部材で一体的に形成されてなる蓋立て支持部、とからなる土鍋蓋とで土鍋セットを構成しているので、
（１）従来の取っ手つきの土鍋と違って、全周にわたって指掛け外縁部と指掛け突起部が形成されているので、向きを気にすることなく、ガスレンジや電子レンジに置くことができ、どこからでも土鍋を両手で掴み持つことができる、
（２）指掛け外縁部が全周にわたって均一の形態で設けてあるので、パーティなど、テーブルを囲んでお客をもてなすとき、鍋の取っ手の向きを気にしていた従来の土鍋と違い、向きを気にすることなく、食卓に置くことができる。
（３）内蓋の高さが低いので、内蓋をした土鍋をそのまま電子レンジに入れて加熱調理を行うことができる。
（４）内蓋は平板形態あるいは浅い湾曲形態であり、且つ片手の全指で掴み持つことができ、且つ安定した皿として使用できる広さの高台を設けた形態としているので、熱い土鍋を載せる、蓋を載せ置く、他の料理や鍋の具などの皿として、幅広く使用することができる。
（５）内蓋に蓋を載せた形態でも、電子レンジに入れての調理ができる。
（６）蓋を食卓に立て置くことができるので、食卓を狭くすること無く且つ煩雑感の無い整った食卓を演出する。もちろん料理中も、調理台やまな板の上など、どこにでも自由に置くことができる。
などの効果を得ることができる。
（７）内蓋に蓋を載せて２重に密閉できるので機密性が高く、しかも冷めにくい土鍋であるので、煮物には最適である。特にご飯を炊く場合に、「初めちょろちょろ、なかぱっぱ、赤子泣いても蓋取るな、」の言い伝えどおりの、最上級のおいしいご飯が炊ける。
＜請求項３記載の考案の効果＞
土鍋本体の開口部外側の全周にわたって、均一の形態で外側に突き出し広がって円弧状外縁を形成してなる指掛け外縁部および、この指掛け外縁部の縁下に全周にわたって凸状に形成された指掛け突起部および、該指掛け外縁部よりも低い位置に全周にわたって形成された内蓋載せ部とからなる土鍋と、前記内蓋載せ部に載せ置く平板形態あるいは浅い湾曲形態の内蓋本体および、この内蓋本体の上部に設けられた、指を掛けて内蓋本体を持ち上げ、且つ内蓋本体を皿や蓋置きとして安定させる高台とからなる内蓋と、内側が湾曲形態に凹んだ蓋本体および、この蓋本体を立てた状態で支持し且つ蓋取っ手を兼ねる、蓋本体と同部材で一体に形成されてなる蓋立て支持部および、該蓋本体を立てた状態に置いて、蓋本体の内側下部に設けられた、滴り落ちるしずくと杓子の掬い部とを止め受ける杓子止め受け部とからなる土鍋蓋と、取っ手および掬い部からなる杓子本体および、該取っ手の裏側に突出して設けられた、前記杓子止め受け部に掬い部を載せ止めた状態で前記蓋本体の縁に係わり合って、立ち状態の杓子本体を支持する杓子支持部とからなる杓子とで土鍋セットを構成しているので、
前記請求項１と２記載の発明の効果をあわせて得ることができる。
【考案を実施するための最良の形態】
【０００７】
以下、図面に示す考案を実施するための最良の形態により、本考案を詳細に説明する。但し本考案の技術的範囲をこらのみに限定する趣旨のものではない。
【０００８】
＜第1の実施の形態＞
図１ないし図１０に示す本考案を実施するための最良の第１の実施の形態において１は土鍋セットであって、この土鍋セット１は土鍋２と、内蓋３と、蓋４と、レンゲ形態の杓子５とからなっている。
土鍋２は、土鍋本体６と、この土鍋本体６の開口部７から外側に全周にわたって均一の形態（円形）で土鍋本体６の外側に突き出し広がって円弧状外縁を形成してなる指掛け外縁部８と、この指掛け外縁部８の縁下に全周にわたって凸状に形成された指掛け突起部９と、土鍋本体６の開口部７を形成する指掛け外縁部９よりも低い位置に形成された内蓋載せ部１０とからなっている。土鍋２の内側にはガラス部材がコーティングされているので、焼け焦げなどがこびり付かず、御飯を炊いてできたおこげが取り易くなっている。
内蓋３は、内蓋載せ部１０に載せ置く平板形態あるいは浅い湾曲形態の内蓋本体３０と、この内蓋本体３０の上部に設けられた、指を掛けて内蓋本体を持ち上げ、且つ内蓋本体３０を皿や蓋置きとして安定させる高台３１とからなっている。高台３１は指がしっかりと掛るように外側が開きテーパーとなっている。
蓋４は、内側が湾曲形態に凹んだ蓋本体１２と、この蓋本体１２を立てた状態で支持し且つ蓋取っ手を兼ねる、蓋本体と同部材で一体に形成されてなる蓋立て支持部１３と、蓋本体１２を立てた状態に置いて、蓋本体１２の内側下部に設けられた、滴り落ちるしずくと杓子５の掬い部１４とを止め受ける杓子止め受け部１６とからなる。杓子５の露や蓋に付いた露は杓子止め受け部１６（露溜め部）に溜まり、食卓などを汚さないようになっている。
蓋立て支持部１３は、蓋本体１２から立ち上がった立ち上がり部３３と、この立ち上がり部３３の上部に設けられた、はぼ長方形板状の握り部３４とからなっている。
杓子５は、取っ手１８および掬い部１４からなる杓子本体１９と、取っ手１８の裏側の上方に設けられた、杓子止め受け部１６に掬い部１４を載せ止めた状態で蓋本体１２の縁に係わり合ってにその内側に入って、杓子本体１９が倒れないように支持される凸状形態の立ち状態支持部２０とからなっている。
立ち状態支持部２０は蓋本体１２の縁内側にわずかな隙間で係り合う位置に形成され、杓子５が横に倒れると円形態の縁内に直ぐに当たり倒れないように支持される。
（考案を実施するための異なる形態）
【０００９】
次に、本考案を実施するための異なる形態について説明する。なお、これら本考案を実施するための異なる形態の説明に当たって、本考案を実施するための最良の第１の実施の形態と同一構成部分には同一符号を付して重複する説明を省略する。
【００１０】
＜第２の実施の形態＞
図１１に示す本考案を実施するための最良の第２の実施の形態において前記第１の実施の形態と主に異なる点は、蓋本体１２の縁内側に面が縁と同じ面位置とした凸部４０を設けてなる蓋４１を形成し、取っ手の１８の裏側に立ち状態支持部２０に変えて凹み形態の立ち状態支持部４２を設けてなる杓子４３を形成した点にある。
【産業上の利用可能性】
【００１１】
本考案は土鍋を製造する産業で利用される。
【図面の簡単な説明】
【００１２】
【図１】本考案の最良の第１の実施の形態の使用状態例を示す斜視図。
【図２】本考案の最良の第１の実施の形態の使用状態例を示す斜視図。
【図３】本考案の最良の第１の実施の形態の使用状態例を示す斜視図。
【図４】本考案の最良の第１の実施の形態の蓋を立てた状態の斜視図。
【図５】本考案の最良の第１の実施の形態の杓子を示す斜視図。
【図６】本考案の最良の第１の実施の形態の立てた蓋に杓子を保持した斜視図。
【図７】本考案の最良の第１の実施の形態の土鍋に内蓋をした中央縦断面図。
【図８】本考案の最良の第１の実施の形態の土鍋に内蓋をした斜視図。
【図９】本考案の最良の第１の実施の形態の土鍋に蓋をした斜視図。
【図１０】本考案の最良の第１の実施の形態の内蓋の蓋を載せた斜視図。
【図１１】本考案の最良の第２の実施の形態の蓋と杓子の斜視図。
【符号の説明】
【００１３】
１：土鍋セット、
２：土鍋、
３：内蓋、
４：蓋、
５：杓子、
６：土鍋本体、
７：開口部、
８：指掛け外縁部、
９：指掛け突起部、
１０：内蓋載せ部、
１２：蓋本体、
１３：蓋立て支持部、
１４：掬い部、
１６：杓子止め受け部、
１８：取っ手、
１９：杓子本体、
２０：立ち状態支持部、
３０：内蓋本体、
３１：高台、
３３：立ち上がり部、
３４：握り部、
４０：凸部、
４１：蓋、
４２：立ち状態支持部、
４３：杓子。
【図１】
0003120891.tif 000003
【図２】
0003120891.tif 000004
【図３】
0003120891.tif 000005
【図４】
0003120891.tif 000006
【図５】
0003120891.tif 000007
【図６】
0003120891.tif 000008
【図７】
0003120891.tif 000009
【図８】
0003120891.tif 000010
【図９】
0003120891.tif 000011
【図１０】
0003120891.tif 000012
【図１１】
0003120891.tif 000013